(57)【要約】【課題】  非磁性の線材あるいは鎖に磁石からなる環状体を通すのみで、磁石を容易に等間隔に配置することができ、取り付けた磁石は固定的にネックレスに位置するのみでなく適宜上下に移動する許容範囲を有する磁石入りネックレスを提供する。【解決手段】  ネックレス１の装飾用の非磁性線材からなる線材４に、一端をＮ極、他端をＳ極とする磁石からなる環状体３の複数個をＮ極５どうしあるいはＳ極６どうしをそれぞれ対面配置して鎖２に摺動自在に外嵌し、外嵌した磁石からなる環状体３が互いに同極どうしで反発することにより等間隔に離間して保持されている磁石入りネックレス１。【選択図】      図１
0003104170.tif 000002
【実用新案登録請求の範囲】
【請求項１】
ネックレスの装飾用の非磁性線材からなる細線に、一端をＮ極、他端をＳ極とする磁石からなる環状体の複数個をＮ極どうしあるいはＳ極どうしをそれぞれ対面配置して細線に摺動自在に外嵌し、外嵌した磁石からなる環状体が互いに同極どうしで反発することにより等間隔に離間して保持されていることを特徴とする磁石入りネックレス。
【請求項２】
ネックレスの装飾用の非磁性線材からなる鎖に、一端をＮ極、他端をＳ極とする磁石からなる環状体の複数個をＮ極どうしあるいはＳ極どうしをそれぞれ対面配置して鎖に摺動自在に外嵌し、外嵌した磁石からなる環状体が互いに同極どうしで反発することにより等間隔に離間して保持されていることを特徴とする磁石入りネックレス。
【請求項３】
磁石からなる環状体がネオジム系磁石、サマリュウムコバルト系磁石、アルニコ磁石、ＭＫ磁石、ＫＳ鋼磁石、新ＫＳ鋼磁石やフェライト磁石などの永久磁石のいずれか１種からからなることを特徴とする請求項１または２に記載の磁石入りネックレス。
【請求項４】
非磁性線材はナイロンなどのアラミド系糸又はオーステナイト系ステンレス鋼、真鍮、金、銀、白金などの非磁性の金属線材のいずれか１種であることを特徴とする請求項１ないし３のいずれか１項に記載の磁石入りネックレス。
【考案の詳細な説明】
【技術分野】
【０００１】
本考案は、磁石入りネックレス、特に磁石からなる環状体を糸や鎖の周囲に間をあけて等間隔で配列した磁石入りネックレスに関し、磁石入りネックレスを装着することで身体に磁気作用を付与するネックレスである。
【背景技術】
【０００２】
従来、ネックレスは身飾品として貴金属の鎖などからなり、鎖に宝石などの宝飾品を嵌めて形成している。ところで最近は磁石の磁気作用を利用して身体の血行を良好にし肩こりを緩和するために、種々の下着類に磁石の粒を取り付けた商品が開発されている。出願人はネックレスの鎖のリング間に磁石を嵌めたものを開発し、すでに販売している。
【０００３】
これらの磁石入りのネックレスはその組み立てにおいてネックレスの鎖の磁石を取り付ける部位で１個ごとに鎖のリング間に係止して留めるかあるいはリングに接着剤で固定して形成している。しかし、１本のネックレスには多数個の磁石を取り付けるので、組み立てに時間を要し、さらに磁石は固定されているので、ネックレスを身体に装着したとき、常に同一箇所が局部的に磁力にさらされる問題があった。
【考案の開示】
【考案が解決しようとする課題】
【０００４】
この考案が解決しようとする本考案の課題は、上記のように労力の要する１個ごとに鎖のリング間に係止して留めたり、接着剤でリングに固定して組み立てることに代え、非磁性の線材あるいは鎖に磁石からなる環状体を通すのみで、磁石を容易に等間隔に配置することができ、かつ、取り付けた磁石は固定的にネックレスに位置するのみでなく適宜上下に移動する許容範囲を有する磁石入りネックレスを提供することである。
【課題を解決するための手段】
【０００５】
上記の課題を解決するための本考案の手段は、ネックレスの装飾用の非磁性線材からなる細線に、一端をＮ極、他端をＳ極とする磁石からなる環状体の複数個をＮ極どうしあるいはＳ極どうしをそれぞれ対面配置して摺動自在に外嵌し、外嵌した磁石からなる環状体が互いに同極どうしで反発することにより等間隔に離間して保持されている磁石入りネックレスである。
【０００６】
さらに、ネックレスの装飾用の非磁性線材は、上記の非磁性線材の細線に代えて鎖とし、一端をＮ極、他端をＳ極とする磁石からなる環状体の複数個をＮ極どうしあるいはＳ極どうしをそれぞれ対面配置して上記の鎖に摺動自在に外嵌し、外嵌した磁石からなる環状体が互いに同極どうしで反発することにより等間隔に離間して保持されている磁石入りネックレスである。
【０００７】
さらに上記の磁石入りネックレスにおいては、磁石からなる環状体がネオジム系磁石、サマリュウムコバルト系磁石、アルニコ磁石、ＭＫ磁石、ＫＳ鋼磁石、新ＫＳ鋼磁石やフェライト磁石などの永久磁石のいずれか１種からからなる磁石入りネックレスである。
【０００８】
またさらに上記の磁石入りネックレスにおいては、非磁性線材はナイロンなどのアラミド系糸又はオーステナイト系ステンレス鋼、真鍮、金、銀、白金などの非磁性の金属線材のいずれか１種である磁石入りネックレスである。
【考案の効果】
【０００９】
本願の考案は、磁石入りネックレスにおいては、磁石を環状体とし、この磁石からなる環状体をネックレスに挿通することで組み立てを労力を要せずに容易に組み立て可能とし、さらにネックレスに挿通した磁石からなる環状体の隣りどうしの磁石からなる環状体の対向する面を同極どうしとすることで、磁石の反発力により磁石からなる環状体を等間隔に配置したものとし、しかも、磁石からなる環状体は反発力に抗して移動可能で、常に同一個所に固定されないので、身体に装着したとき身体が受ける磁力線がその移動可能な範囲の身体の運動に伴う自動的な移動により、身体に対する磁力線の効果がより向上するなど、従来にない効果を有する。
【考案を実施するための最良の形態】
【００１０】
本考案を以下に示す図面により説明する。図１は本考案のネックレス１の概略を示す。ネックレス１は、非磁性の線材、例えば、アラミド系糸すなわちナイロン糸の径０．８ｍｍの１本の糸からなる線材４、又は非磁性であるオーステナイトステンレス鋼のＳＵＳ３０４の細い０．２ｍｍ径の針金の３本を軽く縒り合わせて１本の線材４とし、この線材４に磁石として、例えば外径３ｍｍ、内径１．２ｍｍ、長さ５ｍｍのネオジム系磁石あるいはフェライト磁石などの環状体３を挿通する。これらの磁石からなる環状体３は、その環状面からなる１端をＮ極５とし、他端をＳ極６とする磁石とする。そしてネックレス１の線材４に環状体３を挿通する時、環状体３の同極どうし対面するように配列して線材４に通すものとする。
【００１１】
以上のように同極どうしを向かい合わせとすることで、磁石からなる環状体３は互いに反発しあい、例えばネオジム系磁石の場合には約２０ｃｍの長さの線材４に９〜１０個の環状体３が約２ｃｍの間隔を空けて挿通することができる。このように約４０ｃｍの線材４に１８個の環状体３を配置してネックレス１とする。
【００１２】
他の実施の形態では、図２に示すように、上記の非磁性の線材４に代えて、例えば、真鍮の線材に金メッキした鎖２、あるいは非磁性であるオーステナイトステンレス鋼のＳＵＳ３０４、いわゆる１８−８ステンレス鋼の線材からなるリングの外径が１．６ｍｍからなる鎖２に、磁石として、例えば外径３ｍｍ、内径１．８ｍｍ、長さ５ｍｍのネオジム系磁石あるいはフェライト磁石などの環状体３を挿通する。これらの磁石からなる環状体３は、その環状面からなる１端をＮ極５とし、他端をＳ極６とする磁石とする。そしてネックレス１の鎖２に環状体３を挿通する時、環状体３の同極どうしを対面するようにして鎖２に通すものとする。
【００１３】
この場合、上記の線材４のものと同様に、同極どうしを向かい合わせに配列することで、磁石からなる環状体３は互いに反発しあい、例えばネオジム系磁石の場合には約２０ｃｍの長さの鎖２に９〜１０個の環状体３が約２ｃｍの間隔を空けて挿通することができる。このように約４０ｃｍの鎖２に１８個の環状体３を配置してネックレス１とする。
【００１４】
以上のネックレス１において、磁石からなる環状体３をＮ極５どうしあるいはＳ極６どうしをそれぞれ対面配置し、摺動自在に外嵌しているので磁石からなる環状体３は互いに同極どうしで反発して等間隔に離間して保持されるが、環状体３そのものは鎖２あるいは線材４に固定されていないので、通常は等間隔に離間しながらも鎖２あるいは線材４をある程度自由に動くことができる。従って、首に掛けたとき身体の動きにつれて環状体３は互いに近づいたり離れたりすることができ、身体に及ぼす磁力線がその時々で変化するので、その効果はより効果を増すものとなる。
【図面の簡単な説明】
【００１５】
【図１】本考案の１実施例の磁石からなる環状体を有するネックレスである。
【図２】本考案の他の実施例の磁石からなる環状体を有するネックレスである。
【符号の説明】
【００１６】
１  ネックレス
２  鎖
３  環状体
４  線材
５  Ｎ極
６  Ｓ極
【図１】
0003104170.tif 000003
【図２】
0003104170.tif 000004